(57)【要約】【課題】筐体の薄型化と表示デバイスの保護性能とを共に有する表示デバイス保護構造を提供する。【解決手段】筐体のフロント面と側面とを形成するフロント部材１０、２０と、フロント部材１０、２０と結合しフロント面と対向する筐体のリア面を形成するリア部材７０と、筐体の内部に保持される表示デバイス３１と、筐体の内部においてフロント部材１０、２０とリア部材７０とに挟持される荷重経路部５０とを具備する。荷重経路部５０は、フロント部材１０、２０を筐体の内部から支持するフロントフランジ５１と、リア部材７０を筐体の内部から支持する第１リアフランジ５２と、フロントフランジ５１と第１リアフランジ５２とを連結するウェブ５３とを備える。フロントフランジ５１は、フロント面とリア面とを垂直に結ぶ厚み方向において、表示デバイス３１と重ならない位置に配置される。第１リアフランジ５２は、厚み方向において、表示デバイス３１と重なる位置に配置される。【選択図】図２
2010152164.tif 000002
【特許請求の範囲】
【請求項１】
筐体のフロント面と側面とを形成するフロント部材と、
前記フロント部材と結合し、前記フロント面と対向する前記筐体のリア面を形成するリア部材と、
前記筐体の内部に保持される表示デバイスと、
前記筐体の内部において、前記フロント部材と前記リア部材とに挟持される荷重経路部と、
を具備し、
前記荷重経路部は、
前記フロント部材を前記筐体の内部から支持するフロントフランジと、
前記リア部材を前記筐体の内部から支持するリアフランジと、
前記フロントフランジと前記リアフランジとを連結するウェブと、
を備え、
前記フロントフランジは、前記フロント面と前記リア面とを垂直に結ぶ厚み方向において、前記表示デバイスと重ならない位置に配置され、
前記リアフランジは、前記厚み方向において、前記表示デバイスと重なる位置に配置される
表示デバイス保護構造。
【請求項２】
請求項１に記載の表示デバイス保護構造であって、
前記リア部材は、
前記筐体の外側へ膨らむバルジ部
を備え、
前記リアフランジは、前記バルジ部を前記筐体の内部から支持する
表示デバイス保護構造。
【請求項３】
請求項２に記載の表示デバイス保護構造であって、
前記バルジ部と前記筐体の内部で結合し、前記リア部材を補強する平板状の剛性補強部
を更に具備し、
前記剛性補強部は、前記厚み方向において前記リアフランジと重ならず、スペーサを介して前記表示デバイスを前記リア面側から支持し、
前記バルジ部の膨らみに基づく前記筐体の内部の空間の前記厚み方向の厚みと、前記剛性補強部と前記スペーサとを合わせた前記厚み方向の厚みとは同じである
表示デバイス保護構造。
【請求項４】
請求項１乃至３の何れか一項に記載の表示デバイス保護構造であって、
前記表示デバイスは、
面積の異なる２枚のガラス板が液晶を挟み封止するＬＣＤ部
を備え、
前記ＬＣＤ部は、
前記２枚のガラス板が前記液晶を封止する２枚ガラス部と、
前記２枚のガラス板が重ならず１枚のみの部位である１枚ガラス部と、
を含み、
前記１枚ガラス部は、前記厚み方向において、前記フロント面と前記リアフランジとの間に位置し、
前記１枚ガラス部と前記フロント面との間には第１クリアランスが含まれ、
前記１枚ガラス部と前記リアフランジとの間には第２クリアランスが含まれる
表示デバイス保護構造。
【請求項５】
請求項４に記載の表示デバイス保護構造であって、
前記フロント部材は、
前記筐体の内部の前記フロント面に貼付されるロ字形状の防塵クッション
を含み、
前記防塵クッションは、前記２枚ガラス部の外周縁と接触し、
前記２枚ガラス部は、前記防塵クッションと前記スペーサとを介して、前記フロント部材及び前記リア部材とに挟持される
表示デバイス保護構造。
【請求項６】
請求項１乃至５の何れか一項に記載の表示デバイス保護構造であって、
前記ウェブは、前記フロントフランジ及び前記リアフランジと垂直に結合する
表示デバイス保護構造。
【請求項７】
請求項３に記載の表示デバイス保護構造であって、
前記剛性補強部は、前記バルジ部と溶接又はかしめによって結合する
表示デバイス保護構造。
【請求項８】
請求項１乃至７の何れか一項に記載の表示デバイス保護構造であって、
前記筐体の内部に保持され、前記表示デバイスの主回路であるＦＰＣと、
前記表示デバイスと前記ＦＰＣとを接続するＬＣＤ接続ＦＰＣと、
を具備し、
前記ＦＰＣは、前記リア部材と前記リアフランジとに挟持され、
前記ＬＣＤ接続ＦＰＣは、前記フロント部材と前記フロントフランジとに挟持される
表示デバイス保護構造。
【発明の詳細な説明】
【技術分野】
【０００１】
本発明は携帯電子機器の筐体構造に関し、特に表示デバイスの保護構造に関する。
【背景技術】
【０００２】
携帯電子機器に内装された機能デバイスは、落下衝撃、押圧、曲げ及びねじり等の外力に基づいて変形し、破壊されるおそれがある。そこで、携帯電子機器は外力に耐えられる筐体及び内装部品を有し、機能デバイスを保護している。一方、携帯電子機器は、携帯性の向上のため、薄型及び小型への要求を内包している。従って、携帯電子機器は外力に耐えられる強度を備え、薄型及び小型であることが常に求められており、改良が重ねられている。
【０００３】
携帯電子機器に内装された機能デバイスにおいて、表示デバイスにはＬＣＤ（液晶ディスプレイ）が使用されている。ＬＣＤは脆性材料のガラス板を基材としているため、外力に基づいて破壊されやすい。従って、携帯電子機器は、筐体及び内装部品によってＬＣＤを保護する種々の検討がなされている。ＬＣＤの保護構造に関する技術として、特許文献１が挙げられる。
【０００４】
特許文献１に記載の携帯通信機は、メインＬＣＤユニットとサブＬＣＤユニットとが実装されたＬＣＤフレームと、メインＬＣＤユニットの画像を表示する第１スクリーンを有するフロントケースと、サブＬＣＤユニットの画像を表示する第２スクリーンを有するリアカバーとを備える。この携帯通信機はＬＣＤ保護構造として、ＬＣＤフレームのサブＬＣＤユニットが実装されている周囲に、先端がリアカバー内面と当接し、根元が複数に分割された形状を有するリブを形成したことを特徴としている。このようなＬＣＤ保護構造は、リアカバーから押圧された荷重が根元を複数に分割されたリブによって分散されるため、メインＬＣＤユニットの破損を防ぐことができるというものである。
【０００５】
【特許文献１】特開２００８―１０３８９２号公報
【発明の開示】
【発明が解決しようとする課題】
【０００６】
ＬＣＤは、液晶材料が２枚のガラス板に挟まれた構造を有している。しかし、表示駆動ドライバー（ＩＣチップ）をガラス板に搭載するＬＣＤモジュールは、表示駆動ドライバーを搭載するＬＣＤのガラス板は１枚となる。ガラス板材の厚さはｔ０．１５〜ｔ０．２ｍｍの薄さになるものもあるが、ガラス板が１枚となるＬＣＤの部位は、高剛性、高強度の樹脂でパッケージングされていない。従って、ガラス板が１枚となるＬＣＤの部位は、ＬＣＤモジュールにおけるウィークポイントとなってしまう。つまり、ＬＣＤモジュールにおけるガラス板が１枚となるＬＣＤを十分に保護することができないと、通常の使用で受ける外力に基づきＬＣＤモジュールが破壊されてしまう問題が発生する。
【０００７】
本発明は、筐体の薄型化と表示デバイス（ＬＣＤ）の保護性能とを共に有する表示デバイス保護構造を提供することを目的とする。
【課題を解決するための手段】
【０００８】
本発明の表示デバイス保護構造は、筐体のフロント面と側面とを形成するフロント部材と、フロント部材と結合しフロント面と対向する筐体のリア面を形成するリア部材と、筐体の内部に保持される表示デバイスと、筐体の内部においてフロント部材とリア部材とに挟持される荷重経路部とを具備する。荷重経路部は、フロント部材を筐体の内部から支持するフロントフランジと、リア部材を筐体の内部から支持するリアフランジと、フロントフランジとリアフランジとを連結するウェブとを備える。フロントフランジは、フロント面とリア面とを垂直に結ぶ厚み方向において、表示デバイスと重ならない位置に配置される。リアフランジは、厚み方向において、表示デバイスと重なる位置に配置される。
【０００９】
このような表示デバイス保護構造は、外力に基づきフロント面が受けた荷重を、厚み方向でフロント面とリアフランジとの間に位置する表示デバイスの部位を避けて、荷重経路部を介してリア面へ伝えることが出来る。更に、フロントフランジが表示デバイスと厚み方向に重ならない位置に配置されているため、筐体を薄く形成することが出来る。
【発明の効果】
【００１０】
本発明の表示デバイス保護構造は、筐体の薄型化と表示デバイス（ＬＣＤ）の保護性能とを共に満たすことが出来る。
【発明を実施するための最良の形態】
【００１１】
以下、添付図面を参照して本発明の実施の形態による表示デバイス保護構造を説明する。
【００１２】
図１は、本発明の表示デバイス保護構造が適用された携帯電子機器１の斜視図である。図１を参照すると、携帯電子機器１は、ＲＥＣユニット２と、ＭＩＣユニット３と、スライドユニット４とを具備する。
【００１３】
ＲＥＣユニット２は、レシーバー機能（受話機能）と、表示デバイスとを内部に有する。ＭＩＣユニット３は、マイク機能（送話機能）を有する。スライドユニット４は、ＲＥＣユニット２とＭＩＣユニット３とを連結し、更に、ＲＥＣユニット２とＭＩＣユニット３とが携帯電子機器１の長手方向（トップ側とボトム側とを結ぶ方向）にスライドできる機能を有する。図１に示した携帯電子機器１は、スライドユニット４によりＲＥＣユニット２とＭＩＣユニット３とが開いた開状態を示している。携帯電子機器１は、ＭＩＣユニット３を固定し、ＲＥＣユニット２をＭＩＣユニット３と重なる位置までボトム側へ下げると閉状態となる。尚、本明細書において、携帯電子機器１は携帯電話を例に説明をするが携帯電話に限定するものでなく、表示デバイスを含むものであれば本発明の表示デバイス保護構造を適用することができる。
【００１４】
図２は、本発明の表示デバイス保護構造が適用されたＲＥＣユニット２をフロント側から示した分解斜視図である。図３は、図２のＲＥＣユニット２をリア側から示した分解斜視図である。図２及び図３を参照すると、ＲＥＣユニット２は、スクリーン１０と、フロント筐体２０と、ＬＣＤモジュール３０と、ＦＰＣ（フレキシブルプリント回路基板）４０と、荷重経路部５０と、剛性補強部６０と、リア板金筐体７０とを具備する。
【００１５】
スクリーン１０は、ＲＥＣユニット２のフロント面を形成し、ＲＥＣユニット２内部のＬＣＤモジュール３０を保護する。スクリーン１０は、スクリーン１０ａと、スクリーン１０ｂとを含む。スクリーン１０ａは、スクリーン１０の中央部を形成する。携帯電子機器１のユーザは、スクリーン１０ａを介してＬＣＤモジュール３０が表示する出力情報を認識することが出来る。スクリーン１０ｂは、スクリーン１０のトップ側と、ボトム側とを形成する。
【００１６】
スクリーン１０には、ロ字形状の防塵クッション１１がＲＥＣユニット２の内側に貼付されている。防塵クッション１１は、ＬＣＤモジュール３０のフロント側と接触し、スクリーン１０とＬＣＤモジュール３０との間において衝撃を吸収し、外力からＬＣＤモジュール３０を保護する。
【００１７】
フロント筐体２０は、スクリーン１０と共にＲＥＣユニット２のフロント面及び側面を形成し、内部のＬＣＤモジュール３０やＦＰＣ４０などの機能デバイスを保護する。フロント筐体２０は、フロント板金筐体２１と、フロント樹脂筐体２２とを含む。フロント筐体２０は、フロント板金筐体２１の外周縁をフロント樹脂筐体２２により埋め込まれて一体化している。フロント筐体２０の製造方法を例示する。フロント板金筐体２１は、ステンレス製板金のプレス成型により形成される。フロント樹脂筐体２２の溶融樹脂は、フロント板金筐体２１が設置された樹脂筐体金型内へ射出され、一体成型（インサート成型）される。フロント筐体２０はこのような一体成型により形成することができる。
【００１８】
フロント樹脂筐体２２は、ボトム側にタッチセンサーモジュール２２ａを有する。タッチセンサーモジュール２２ａは、ボトム側のスクリーン１０ｂを介したユーザ入力を取得し、ＦＰＣ４０へ提供する。タッチセンサーモジュール２２ａは、タッチセンサーＦＰＣ、発光ＬＥＤ、導光板を有する。タッチセンサーＦＰＣは、ＦＰＣ４０と接続する。
【００１９】
ＬＣＤモジュール３０は、スクリーン１０、フロント筐体２０及びリア板金筐体７０からなる筐体の内部に保持され、携帯電子機器１の表示機能を有する。ＬＣＤモジュール３０は、ＬＣＤ部３１と、表示駆動ドライバー３２と、バックライト部３３と、ＬＣＤ接続ＦＰＣ３４とを含む。
【００２０】
ＬＣＤ部３１は、携帯電子機器１の表示デバイスである。ＬＣＤ部３１は、面積の異なる２枚のガラス板が液晶を挟み封止する。ＬＣＤ部３１は、表示駆動ドライバー３２からの電圧に基づき内部の液晶分子の向きが変えられ、バックライト部３３からの光の透過率を増減させることで表示部として機能する。ＬＣＤ部３１は、２枚ガラス部３１ａと、１枚ガラス部３１ｂとを含む。２枚ガラス部３１ａは、２枚のガラス板が液晶を封止している表示部である。１枚ガラス部３１ｂは、２枚のガラス板が重ならず１枚のみである部位であり、表示駆動ドライバー３２が搭載される部位である。尚、ＬＣＤ部３１は、２枚ガラス部３１ａの表示面および非表示面に偏光シートが貼付されており、２枚ガラス部３１ａの詳細な構成は、偏光シート−ガラス−液晶−ガラス−偏光シートである。
【００２１】
表示駆動ドライバー３２は、ＬＣＤ接続ＦＰＣ３４から取得した信号に基づき、ＬＣＤ部３１へ電圧を提供する。表示駆動ドライバー３２は、ＬＣＤ部３１の１枚ガラス部３１ｂのフロント側へＣＯＧ（Ｃｈｉｐ  Ｏｎ  Ｇｌａｓｓ）の技術を用いて搭載される。
【００２２】
バックライト部３３は、ＬＣＤモジュール３０の光源部を含み、ＬＣＤモジュール３０の各部を１つのユニットに固定する。バックライト部３３は、発行ＬＥＤ（Ｌｉｇｈｔ  Ｅｍｉｔｔｉｎｇ  Ｄｉｏｄｅ）などの光源部、ＬＥＤ−ＦＰＣ、導光板、光学シートおよびＬＣＤフレーム３３ａなどのその他の表示機能部を含む。ＬＣＤフレーム３３ａは、ＬＣＤモジュール３０を１つの部材として固定するための、平面形状がロ字形状の樹脂製部材である。ＬＣＤフレーム３３ａは、ＬＣＤモジュール３０を１部品化することを目的として外周のみに存在するため、その剛性はＬＣＤ部３１の変形破壊を十分に防止することは困難である。また、ＬＥＤ−ＦＰＣは、主回路のＦＰＣ４０と接続するように延長されている。
【００２３】
ＬＣＤ接続ＦＰＣ３４は、１枚ガラス部３１ｂのボトム側の端部に配置され、ＬＣＤ部３１及び表示駆動ドライバー３２と主回路のＦＰＣ４０とを接続する。ＬＣＤ接続ＦＰＣ３４および前述したＬＥＤ−ＦＰＣは、荷重経路部５０のボトム端を廻り込み折り返され、ＦＰＣ４０と接続する。
【００２４】
ＦＰＣ４０はＲＥＣユニット２を動作するための主回路である。ＦＰＣ４０は、筐体の内部において、ＬＣＤモジュール３０とリア板金筐体７０との間に保持される。ＦＰＣ４０はタッチセンサーＦＰＣ、ＬＣＤ接続ＦＰＣ３４及びＬＥＤ−ＦＰＣと接続し、更に、ＭＩＣユニット３と接続する。
【００２５】
荷重経路部５０は、フロント筐体２０とリア板金筐体７０とに挟持され、ＬＣＤ部３１の、特に１枚ガラス部３１ｂを保護できる。図４は、荷重経路部５０と、剛性補強部６０と、リア板金筐体７０とのフロント側を示した図である。図５は、ＬＣＤモジュール３０と、荷重経路部５０と、剛性補強部６０とのリア側を示した図である。図４及び図５を参照すると、荷重経路部５０は、フロントフランジ５１と、第１リアフランジ５２と、ウェブ５３と、第２リアフランジ５４とを備える。
【００２６】
フロントフランジ５１は、ＲＥＣユニット２の筐体の内部からフロント筐体２０を支持する。図５を参照すると、フロントフランジ５１は、ＬＣＤ接続ＦＰＣ３４と接触しており、直接フロント筐体２０と接触しない。しかし、ＬＣＤ接続ＦＰＣ３４の厚さは０．１５ｍｍ程度であり、フロントフランジ５１とフロント筐体２０とは荷重伝達の点では接触しているものと同様の効果を奏する。
【００２７】
第１リアフランジ５２は、ＲＥＣユニット２の筐体の内部からリア板金筐体７０を支持する。図５を参照すると、第１リアフランジ５２のフロント側にはウィークポイントとなる１枚ガラス部３１ｂが存在する。尚、第１リアフランジ５２はＬＣＤモジュール３０と接触していない。
【００２８】
ウェブ５３は、フロントフランジ５１と第１リアフランジ５２とを連結する。ウェブ５３は、フロントフランジ５１及び第１リアフランジ５２と垂直に結合することが好ましい。即ち、フロントフランジ５１と、第１リアフランジ５２と、ウェブ５３とは、フロント側とリア側とを結ぶ断面形状が、２箇所直角に折れ曲がるクランク形状（クランク道路に基づく形容であり、本明細書では直角の狭いカーブが二つ接近して繋がっている形および類似形状を示す）となる。フロントフランジ５１は、ウェブ５３に対してＬＣＤ部３１とは逆側、つまりフロント側とリア側とを垂直に結ぶ方向（以降、厚み方向と称する）において、ＬＤＣ部３１と重ならない位置にある。第１リアフランジ５２は、ＬＣＤ部３１側、つまり厚み方向においてＬＣＤ部３１（１枚ガラス部３１ｂ）と重なる位置にある。断面形状は後述する。フロントフランジ５１と、第１リアフランジ５２と、ウェブ５３とがクランク形状となることで、荷重経路部５０はフロント側及びリア側からの荷重に対してより強い剛性をＲＥＣユニット２に付与する。図５を参照すると、ウェブ５３はＬＣＤフレーム３３ａとボトム側で接する。ウェブ５３とＬＣＤフレーム３３ａとが接することで、フロントフランジ５１及び第１リアフランジ５２と、ＬＣＤモジュール３０の１枚ガラス部３１ｂとの距離を近づけることができる。
【００２９】
第２リアフランジ５４はリア板金筐体７０を支持する。即ち、荷重経路部５０は、フロント側からフロントフランジ５１に掛かる荷重を、第１リアフランジ５２及び第２リアフランジ５４に分散して支持することができる。
【００３０】
剛性補強部６０はリア板金筐体７０と結合し、リア板金筐体７０を補強する。図４を参照すると、剛性補強部６０は平板状である。剛性補強部６０は厚み方向において、第１リアフランジ５２とほぼ同一の高さに位置する。図５を参照すると、剛性補強部６０は、厚み方向において第１リアフランジ５２と重ならず、フロント側にはＬＣＤモジュール３０（２枚ガラス部３１ａ及び１枚ガラス部３１ｂ）が配置される。剛性補強部６０とリア板金筐体７０との結合は、溶接又はかしめにより一体化されることが好ましい。溶接又はかしめにより一体化すると、リア板金筐体７０の強度を補強する効果が一層向上する。但し、剛性補強部６０とリア板金筐体７０とは、両面テープ等で結合することも可能である。
【００３１】
剛性補強部６０はスペーサ６１を含む。図４を参照すると、スペーサ６１は剛性補強部６０のフロント側に貼付される。スペーサ６１は、ＬＣＤモジュール３０のリア側のバックライト部３３を支持し、外力からＬＣＤモジュール３０を保護する。尚、図５ではＦＰＣ４０は図示されていないが、スペーサ６１はＦＰＣ４０を介してバックライト部３３を支持する。
【００３２】
リア板金筐体７０はフロント筐体２０と結合し、筐体のリア面を形成する。リア板金筐体７０はステンレス製板金のプレス成型より形成することができる。尚、フロント筐体２０とリア板金筐体７０とが嵌合した状態をアセンブリ筐体と称する。
【００３３】
リア板金筐体７０はバルジ部７１を含む。図４を参照すると、バルジ部７１は、リア板金筐体７０においてＲＥＣユニット２の筐体の外側へ膨らんだ部位である。バルジ部７１の膨らみに基づく筐体の内部の空間には、ＬＣＤ部３１を保護する荷重経路部５０と、リア板金筐体７０を補強する剛性補強部６０とが含まれる。バルジ部７１のフロント側は、第１リアフランジ５２及び第２リアフランジ５４が支持する部位であり、更に、剛性補強部６０が結合する部位である。バルジ部７１の厚さ方向における空間の厚みは、剛性補強部６０とスペーサ６１とを合わせた厚みと同じである。従って、スペーサ６１のフロント側と、リア板金筐体７０のバルジ部７１を含まない面とは、同じ平面上に存在する。本発明の表示デバイス保護構造は、ＬＣＤ部３１（特に１枚ガラス部３１ａ）を保護する部位が限れた範囲のバルジ部７１に含まれるため、携帯電子機器１（ＲＥＣユニット２）の全体構成の厚みは最小限に抑えることができる。
【００３４】
図６は、図２にしたＲＥＣユニット２のＡ−Ａの部分断面図である。図６を参照しながら、更に詳細な構成を説明する。図６を参照すると、スクリーン１０、フロント板金筐体２１、ＬＣＤモジュール３０、ＦＰＣ４０、荷重経路部５０、剛性補強部６０及びリア板金筐体７０が含まれる。
【００３５】
ＬＣＤモジュール３０のＬＣＤ部３１とフロント板金筐体２１とは、厚さ方向にほぼ同一の高さに位置する。１枚ガラス部３１ｂの端から導出するＬＣＤ接続ＦＰＣ３４は、フロント板金筐体２１の内面と接触するフォーミングがなされる。タッチセンサーモジュール２２ａは、ＬＣＤ接続ＦＰＣ３４を介して荷重経路部５０と、スクリーン１０（スクリーン１０ｂ）とに挟持される。
【００３６】
荷重経路部５０のフロントフランジ５１は、ＬＣＤ接続ＦＰＣ３４を介してフロント板金筐体２１の内面を支持する。第１リアフランジ５２は、ＦＰＣ４０を介してリア板金筐体７０の内面を支持する。つまり、荷重経路部５０は、フロント板金筐体２１とリア板金筐体７０の間にクリアランス無く実装される。荷重経路部５０のウェブ５３は、ＬＣＤモジュール３０のボトム側の側面（ＬＣＤフレーム３３ａ）と接している。これにより、フロントフランジ５１とフロント板金筐体２１との接触箇所と、第１リアフランジ５２とバルジ部７１との接触箇所とが、１枚ガラス部３１ｂにより近づくようになる。つまり、１枚ガラス部３１ｂは、厚み方向において、スクリーン１０及びフロント板金筐体２１と、第１リアフランジ５２との間に位置する。また、荷重経路部５０は、ボトム側において、第２リアフランジ５４がＬＣＤ接続ＦＰＣ３４を介してバルジ部７１の内面を支持している。フロントフランジ５１と、第２リアフランジ５４との間は、徐々に傾斜する部位と、バルジ部７１に平行な部位とが含まれる。
【００３７】
本発明の表示デバイス保護構造は、ＬＣＤ部３１、特に１枚ガラス部３１ｂを保護するための複数のクリアランス、クリアランス８１と、クリアランス８２と、クリアランス８３とが存在する。
【００３８】
クリアランス８１は、スクリーン１０と１枚ガラス部３１ｂとの間に位置し、スクリーン１０と１枚ガラス部３１ｂ及び表示駆動ドライバー３２とが接触しないように、防塵クッション１１によって十分に確保される。防塵クッション１１は２枚ガラス部３１ａの外周縁と接触し、圧縮されている。
【００３９】
クリアランス８２は、ＬＣＤモジュール３０と第１リアフランジ５２との間に位置し、ＬＣＤモジュール３０と第１リアフランジ５２とが接触しないように設けられている。
【００４０】
クリアランス８３は、ＬＣＤモジュール３０（ＦＰＣ４０を含む）と剛性補強部６０との間に位置し、ＬＣＤモジュール３０（ＦＰＣ４０を含む）と剛性補強部６０とが接触しないように、スペーサ６１によって設けられる。
【００４１】
このような本発明の表示デバイス保護構造は、携帯電子機器１の薄型化とＬＣＤ部３１（１枚ガラス部３１ａ）の保護性能とを共に満たすことができる。まず、外力に対するＬＣＤ部３１の保護構造の詳細を説明する。前述したように、ＬＣＤ部３１は１枚ガラス部３１ｂが最も破壊されやすい。従って、ＬＣＤ部３１の保護のために最も好ましくない外力は、ＬＣＤ部３１のウィークポイントである１枚ガラス部３１ｂの近傍において、スクリーン１０のフロント側からＲＥＣユニット２のリア側に負荷される荷重である。本発明の表示デバイス保護構造は、スクリーン１０側から掛かる荷重を、ＬＣＤモジュール３０に隣接した荷重経路部５０に基づいて、フロント板金筐体２１→ＬＣＤ接続ＦＰＣ３４→フロントフランジ５１→ウェブ５３→第１リアフランジ５２→ＦＰＣ４０→リア板金筐体７０のバルジ部７１の経路と、フロント板金筐体２１→ＬＣＤ接続ＦＰＣ３４→フロントフランジ５１→第２リアフランジ５４→ＬＣＤ接続ＦＰＣ３４→リア板金筐体７０のバルジ部７１の経路とに伝達することができる。つまり、本発明の表示デバイス保護構造は、フロント側からスクリーン１０へ負荷される荷重に対して、１枚ガラス部３１ｂを迂回する荷重経路を構成することができる。また、直下にフロント板金筐体２１が存在しないトップ側のスクリーン１０に掛かる荷重は、防塵クッション１１→２枚ガラス部３１ａの外周縁→ＬＣＤモジュール３０内部→ＦＰＣ４０→スペーサ６１→剛性補強部６０→リア板金筐体７０のバルジ部７１の経路で伝達される。この場合も、１枚ガラス部３１ｂは荷重経路とならず、ＬＣＤ部３１の中でも比較的強度のある２枚ガラス部３１ａの外周縁が荷重経路となるため、本発明の保護構造は１枚ガラス部３１ｂを保護することができる。尚、２枚ガラス部３１ａは、防塵クッション１１とスペーサ６１とを介して、スクリーン１０及びフロント筐体２０と、リア板金筐体７０とに挟持されている。
【００４２】
表示デバイス保護構造において、１枚ガラス部３１ｂの周囲のクリアランス８１、クリアランス８２及びクリアランス８３は、荷重を迂回させる効果、即ち１枚ガラス部３１ｂを保護する効果を奏している。つまり、フロント側から受けた荷重に基づきスクリーン１０が撓んだ場合、クリアランス８１はスクリーン１０と１枚ガラス部３１ｂとの接触を防ぐことができる。同様に、フロント側から受けた荷重に基づきＬＣＤモジュール３０が押し下げられた場合、ＬＣＤモジュール３０と第１リアフランジ５２との間のクリアランス８２と、ＬＣＤモジュール３０（ＦＰＣ４０）と剛性補強部６０との間のクリアランス８３とは、各々の部材同士の接触を防ぐことができる。特に、第１リアフランジ５２は、１枚ガラス部３１ｂの厚み方向の真下近傍に存在するため、スクリーン１０から受ける荷重に基づいて１枚ガラス部３１ｂの真下のバルジ部７１を押し下げることができる。これは、第１リアフランジ５２によって、クリアランス８２、更にはクリアランス８３が確実に確保される効果を奏する。一方、剛性補強部６０がフロント側から受けた荷重に基づきバルジ部７１を押し下げることでも、クリアランス８２及びクリアランス８３は確保される。１枚ガラス部３１ｂの周囲のクリアランス８１、クリアランス８２及びクリアランス８３が維持されている間は、１枚ガラス部３１ｂの変形はＲＥＣユニット２全体の変形と分離したものとなるため、１枚ガラス部３１ｂは確実に保護される。
【００４３】
また、本発明の表示デバイス保護構造において、１枚ガラス部３１ｂを保護する部材は堅牢であり十分な剛性を有している。荷重経路部５０は２つのフランジをウェブ５３で連結したクランク形状であり、高い曲げ剛性を有する。バルジ部７１は、剛性補強部６０によって曲げ変形が抑制されるため、単なる平面形状のリア板金筐体７０よりも剛性が増している。更に、バルジ部７１が、剛性補強部６０と結合一体化することで、曲率変化（曲がり）も一層抑制される。つまり、本発明の表示デバイス保護構造は、荷重経路部５０、剛性補強部６０及びバルジ部７１の自身の剛性に基づいても、１枚ガラス部３１ｂを囲む複数のクリアランスを維持し、１枚ガラス部３１ｂを迂回して荷重を伝達させている。このように、本発明の表示デバイス保護構造は、外力によるＲＥＣユニット２全体の変形状に対して、１枚ガラス部３１ｂの変形を抑制し破壊を防止することができる。
【００４４】
次に、本発明の表示デバイス保護構造による、薄型化の効果を説明する。図６を参照すると、荷重経路部５０のフロントフランジ５１は、ＬＣＤ部３１と厚み方向に重ならないように配置されるため、１枚ガラス部３１ｂを保護するために厚さを増加させない効果を奏する。更に、本発明の表示デバイス保護構造は、ＬＣＤモジュール３０の保護対象をウィークポイントである１枚ガラス部３１ｂに限定しているため、表示デバイスを保護する構造が厚み方向においてバルジ部７１の範囲に含まれている。従って、1枚ガラス部３１ｂを保護する部位の厚みを抑えると共に、それ以外の携帯電子機器１（ＲＥＣユニット２）の主たる厚みは薄く形成することが可能となる。
【００４５】
尚、本発明の表示デバイス保護構造は、荷重経路部５０を省略して剛性補強部６０をクランク形状とし、フロント板金筐体２１を支持する構成も可能である。但し、この場合、剛性補強部６０を避けるＦＰＣ４０のフォーミングが必要となる。また、本発明は、剛性補強部６０を省略し、荷重経路部５０の第１リアフランジ５２を拡張して代替してもよい。この場合、第１リアフランジ５２とバルジ部７１とがかしめ等で一体化できないため、バルジ部７１の剛性補強には寄与しないが、第１リアフランジ５２の延伸から荷重経路部５０の単品剛性が増加する。更に、剛性補強部６０を省略し、バルジ部７１を１段ではなく複数段にしてバルジ部７１の剛性を増加することも可能である。
【００４６】
本発明の表示デバイス保護構造の優位性を、本発明と異なる表示デバイス保護構造を有する携帯電子機器を例に説明する。図７は、本発明と異なる携帯電子機器１００の部分断面図である。図７に示した断面図は、本発明の図６の１枚ガラス部３１ｂの周辺に相当する。図７を参照すると、携帯電子機器１００は、スクリーン１１０と、フロント板金筐体１２０と、ＬＣＤモジュール１３０と、ＬＣＤ保護ベゼル１４０とを具備する。
【００４７】
スクリーン１１０は、本発明のスクリーン１０に相当する。フロント板金筐体１２０は、本発明のフロント板金筐体２０に相当する。ＬＣＤモジュール１３０は本発明のＬＣＤモジュール３０に相当し、１枚ガラス部１３１と、ＬＣＤ接続ＦＰＣ１３３とを含む。
【００４８】
ＬＣＤ保護ベゼル１４０は、ＬＣＤモジュール１３０のリア側の非表示面の全面と、側面（肉厚面）の３面と、フロント側の表示エリア以外の範囲を覆い、コ字断面形状でＬＣＤモジュール１３０の１枚ガラス部１３１を保護する。ＬＣＤ保護ベゼル１４０は、ステンレス板金によって形成される。ＬＣＤ保護ベゼル１４０は、マグネシウム合金製フレームで１枚ガラス部１３１を保護する方法も考えられる。しかし、最小肉厚として０．５ｍｍ以上必要なマグネシウム合金製フレームは、０．５ｍｍの厚さでさえ採用出来ない仕様に進んでいる近年の薄型携帯電子機器には採用することはできない。そこで、ＬＣＤ保護ベゼル１４０は、マグネシウム合金製フレームより薄く、且つ１枚ガラス部１３１を保護する剛性を有する部材として、ｔ０．３ｍｍ以下の厚さのステンレス板金によって形成される。また、ＬＤＣ保護部品ベゼル１４０は、ＬＣＤ接続ＦＰＣ１３３を挿通するための開口部１４１が設けられている。
【００４９】
図７に示した表示デバイスの保護構造は、１枚ガラス部１３１を保護することができる。しかし、ＬＣＤ保護ベゼル１４０を用いる表示デバイス保護構造は、本発明が対象とする携帯電子機器１には薄型化において不十分である。何故なら、ＬＣＤモジュール１３０の全体を覆うＬＣＤ保護ベゼル１４０は、ＬＣＤモジュール１３０の表示面と非表示面とを保護するステンレス板金の厚さが総厚に含まれてしまうからである。尚、ＬＣＤモジュール３０両面に実装されるＬＣＤ保護ベゼル１４０の厚さを減少させｔ０．１ｍｍまで薄くすると、ＬＣＤ保護ベゼル１４０全体の剛性が低下してしまい１枚ガラス部１３１の保護機能が成り立たなくなる。更に、１枚ガラス部１３１の保護構造の性能におけるＬＣＤ保護ベゼル１４０の問題点を記す。主回路へと接続するＬＣＤ接続ＦＰＣ１３３は、１枚ガラス部１３１の端部から導出される。このため、コ字断面形状で剛性を確保するＬＣＤ保護ベゼル１４０は、ＬＣＤ接続ＦＰＣ１３３が導出する範囲でコ字断面形状を維持できず、開口部１４１を設ける必要がある。開口部１４１は、ＬＣＤモジュール１３０のウィークポイントである１枚ガラス部１３１で、ＬＣＤ保護ベゼル１４０の剛性低下を招くため好ましくない。
【００５０】
本発明の表示デバイス保護構造は、薄型化と保護性能とを共に満たすことが出来るため、図７に示した構造よりも優れている。本発明の荷重経路部５０のフロントフランジ５１は、ＬＣＤ保護ベゼル１４０と異なり、ＬＣＤ部３１と厚み方向で重ならない位置にある。このため、本発明の表示デバイス保護構造に基づくＲＥＣユニット２のＬＣＤモジュール３０を含む厚さは、フロントフランジ５１の肉厚が含まれず、図７に示した構成よりも薄く形成することが可能である。
【００５１】
図６を参照して、第１リアフランジ５２及び剛性補強部６０は、各々厚み方向にＬＣＤモジュール３０（ＬＣＤ部３１）と重なる位置にある。しかし、第１リアフランジ５２及び剛性補強部６０は、リア板金筐体７０の全面に存在せずバルジ部７１に限定されている。そして、バルジ部７１もリア板金筐体７０の全面に適用されるものではない。従って、ＲＥＣユニット２の主たる厚さは、スクリーン１０、防塵クッション１１、ＬＣＤモジュール３０、ＦＰＣ４０及びリア板金筐体７０となり、本発明の表示デバイス保護構造は、図７のＬＣＤ保護ベゼル１４０よりも、ＲＥＣユニット２全体での薄型化を可能にすることができる。
【００５２】
次に、スライド機構を有する携帯電子機器１に対する、本発明の表示デバイス保護構造の有効性を説明する。図１に示したように、携帯電子機器１はＲＥＣユニット２とＭＩＣユニット３とが装置長手方向に自由スライドする機構を持つ。そのため、表示デバイスを搭載するＲＥＣユニット２とリア側に配置されるＭＩＣユニット３と間には、スライド移動時に相互接触をしないよう必然的にクリアランスが存在する。また、スライド操作の全ストローク範囲で使用者が指又は手を添えて操作しなくてもよいように、スライド移動に自立性を持たせるアシストスプリングをスライド機構に組み入れる場合がある。この場合も、ＲＥＣユニット２とＭＩＣユニット３との間のクリアランスはスプリング実装を含むものとなり、ユニット間のクリアランスはさらに増加する。スライド機構を有する携帯電子機器１は、ＲＥＣユニット２のフロント側（表示面側）の面を上にして机上等に置かれスクリーンに荷重が掛けられると、ＲＥＣユニット２全体はＭＩＣユニット３との間のクリアランスに沈み込む変形をする。この沈み込み変形は、ＲＥＣユニット２のリア面がＭＩＣユニット３と接触するまで継続し、変形の大きさは増大していく。ＲＥＣユニット２の沈み込み変形は、内装されているＬＣＤモジュール３０の変形を引き起こし、破壊へとつながるおそれがある。
【００５３】
しかし、本発明の表示デバイス保護構造は、スライド機構を有する携帯電子機器１において生じるＲＥＣユニット２のクリアランスへの沈み込みに対して、１枚ガラス部３１ｂが変位（リア側への移動）はするものの、ＲＥＣユニット２の変形（形状変化）に追従しないため、通常使用時の外力に基づいて１枚ガラス部３１ｂが破壊されることがない。これは本発明の表示デバイス保護構造が、１枚ガラス部３１ｂを迂回する荷重経路を構成していること、１枚ガラス部３１ｂを囲む複数のクリアランスを維持すること、その保護構造の部品が十分な剛性を有していることに基づいている。
【００５４】
また、表示デバイスが搭載されている携帯電子機器の変形については、スライド機構仕様の携帯電子機器１のみの問題ではなく、薄型化した携帯電子機器に全般に当てはまるものでもある。本発明の表示デバイス保護構造は、スライド機構仕様の携帯電子機器１以外に、他の機器仕様、例えば、ＲＥＣユニット２とＭＩＣユニット３との分離がない一体型や、ＲＥＣユニット２とＭＩＣユニット３が折り畳まれるヒンジ機構（クラムシェル）等においても適用することができる。
【００５５】
最後に、本発明の表示デバイス保護構造の付随的な効果を記す。本発明の特徴として、ＬＣＤ部３１とフロント板金筐体２１とが、厚さ方向にほぼ同一高さに位置する。このため、ＬＣＤ接続ＦＰＣ３４は、無理なくフロント板金筐体２１に接するフォーミングをすることができる。これは、フロント板金筐体２１とリア板金筐体７０との間をＦＰＣ４０が分断することにならず、筐体内面間に実装される荷重経路部５０を単一部品にすることを可能とした。単一部品化は、保護構造の簡素化、部品剛性の増加の効果に結びつく。荷重経路部５０は、フロントフランジ５１がフロント板金筐体２１を支持し、第１リアフランジ５２及び第２リアフランジ５４がバルジ部７１を支持する。これは３点拘束であり、荷重経路部５０はアセンブリ筐体で安定して固定される。また、荷重経路部５０は、ＬＣＤ接続ＦＰＣ３４とＬＥＤ−ＦＰＣのボトム側への延伸および折り返しにおけるフォーミングガイドとする効果も奏する。
【図面の簡単な説明】
【００５６】
【図１】図１は、本発明の表示デバイス保護構造が適用された携帯電子機器１の斜視図である。
【図２】図２は、本発明の表示デバイス保護構造が適用されたＲＥＣユニット２をフロント側から示した分解斜視図である。
【図３】図３は、図２のＲＥＣユニット２をリア側から示した分解斜視図である。
【図４】図４は、荷重経路部５０と、剛性補強部６０と、リア板金筐体７０とのフロント側を示した図である。
【図５】図５は、ＬＣＤモジュール３０と、荷重経路部５０と、剛性補強部６０とのリア側を示した図である。
【図６】図６は、図２にしたＲＥＣユニット２のＡ−Ａの部分断面図である。
【図７】図７は、本発明と異なる携帯電子機器１００の部分断面図である。
【符号の説明】
【００５７】
１      携帯電子機器
２      ＲＥＣユニット
３      ＭＩＣユニット
４      スライドユニット
１０    スクリーン
１１    防塵クッション
２０    フロント筐体
２１    フロント板金筐体
２２    フロント樹脂筐体
２２ａ  タッチセンサーモジュール
３０    ＬＣＤモジュール
３１    ＬＣＤ部
３１ａ  ２枚ガラス部
３１ｂ  １枚ガラス部
３２    表示駆動ドライバー
３３    バックライト部
３３ａ  ＬＣＤフレーム
３４    ＬＣＤ接続ＦＰＣ
４０    ＦＰＣ
５０    荷重経路部
５１    フロントフランジ
５２    第１リアフランジ
５３    ウェブ
５４    第２リアフランジ
６０    剛性補強部
６１    スペーサ
７０    リア板金筐体
７１    バルジ部
１００  携帯電子機器
１１０  スクリーン
１２０  フロント筐体
１３０  ＬＣＤモジュール
１３１  １枚ガラス部
１３３  ＬＣＤ接続ＦＰＣ
１４０  ＬＣＤ保護ベゼル
１４１  開口部
【図１】
2010152164.tif 000003
【図２】
2010152164.tif 000004
【図３】
2010152164.tif 000005
【図４】
2010152164.tif 000006
【図５】
2010152164.tif 000007
【図６】
2010152164.tif 000008
【図７】
2010152164.tif 000009